(57)【要約】【課題】  電話装置の着信拒否リストに空きがないときでも、着信拒否機能が有効に機能するようにする。【解決手段】  要注意度及び着信時刻比較部１０１３は、拒否リスト空き調査部１０１２の確認結果で空きがなかった場合に、着信拒否リストに登録されたデータにおける注目度合を示す要注意度情報と着信拒否対象の呼が着信した最新の時間を示す最新着信時刻情報とを読み出す。要注意度及び着信時刻比較部１０１３は、要注意度が最も低く且つ着信時刻が最も古いデータを削除候補データとして探す。削除データ決定部１０１４は、要注意度及び着信時刻比較部１０１３が探し出した削除候補データを表示しユーザの意志を確認して削除するデータを決定する。拒否番号登録部１０１５は削除データ決定部１０１４で決定した着信拒否すべき電話番号を着信拒否リストに登録する。【選択図】      図１
2007088852.tif 000002
【特許請求の範囲】
【請求項１】
特定の発信者からの着信を拒否するための着信拒否リストを有する電話装置において、着信時に前記着信拒否リストに空きがない場合、特定の優先順位に基づいて前記着信拒否リストを更新する制御手段を備えることを特徴とする電話装置。
【請求項２】
前記制御手段は、着信拒否リストに登録されたデータにおける注目度合を示す要注意度情報と着信拒否対象の呼が着信した最新の時間を示す最新着信時刻情報とにより前記優先順位を決定することを特徴とする請求項１記載の電話装置。
【請求項３】
前記制御手段は、着信拒否リストに登録されたデータにおける注目度合を示す要注意度情報と着信拒否対象の呼が着信した回数を示す着信回数情報とにより前記優先順位を決定することを特徴とする請求項１記載の電話装置。
【請求項４】
前記制御手段は、着信拒否リストに登録されたデータにおける注目度合を示す要注意度情報と着信拒否対象の呼が着信した頻度を示す着信頻度情報とにより前記優先順位を決定することを特徴とする請求項１記載の電話装置。
【請求項５】
前記制御手段は、着信時に、削除した着信拒否リストのデータをユーザの指示により復帰させ他のデータと入替を行うことを特徴とする請求項２〜４項のいずれかに記載の電話装置。
【請求項６】
特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報と着信拒否対象の呼が着信した最新の時間を示す最新着信時刻情報とを読み出し要注意度が最も低く且つ着信時刻が最も古いデータを削除候補データとして探す要注意度及び着信時刻比較部と、前記要注意度及び着信時刻比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備えることを特徴とする電話装置。
【請求項７】
特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報と着信拒否対象の呼が着信した回数を示す着信回数情報とを読み出し要注意度が最も低く且つ着信回数が最も少ないデータを削除候補データとして探す要注意度及び着信回数比較部と、前記要注意度及び着信回数比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備えることを特徴とする電話装置。
【請求項８】
特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探す要注意度及び着信頻度比較部と、前記要注意度及び着信頻度比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備えることを特徴とする電話装置。
【請求項９】
前記制御部は、前記拒否リスト空き調査部の調査結果で空きがなかった場合に前記記憶部から着信拒否リストの自動更新可否データを読み出し判定する拒否リスト自動更新判定部と、この拒否リスト自動更新判定部で自動更新が可と判定された場合前記要注意度及び着信時刻比較部，前記要注意度及び着信回数比較部，前記前記要注意度及び着信頻度比較部のいずれかにより着信拒否リストに登録されたデータにおける優先度の最も低いデータを探し決定した削除データを前記記憶部内に一時保存するための制御を行う削除データ保存制御部と、前記削除データ保存制御部により一時保存された削除データを読み出しユーザ確認のために表示する削除データ表示制御部と、前記削除データ表示制御部により表示されたデータを復帰候補データとしてユーザ指示に基づき復帰させるか否かを判定するデータ復帰判定部と、前記データ復帰判定部がデータ復帰すると判定した場合着信拒否リストにおける当該データの入替選択を行うデータ入替判定部と、前記データ入替判定部の決定に基づき該当データを削除すると共に前記復帰候補データを着信拒否リストに追加するデータ入替制御部とを備えることを特徴とする請求項６〜８項のいずれかに記載の電話装置。
【請求項１０】
特定の発信者からの着信を拒否するための着信拒否リストを有する電話装置における着信拒否設定方法であって、着信時、ネットワークから発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報と着信拒否対象の呼が着信した最新の時間を示す最新着信時刻情報とを読み出し要注意度が最も低く且つ着信時刻が最も古いデータを削除候補データとして探すステップと、この削除候補データを表示しユーザに削除の確認を行うステップと、この確認後該当削除候補データを削除するステップと、前記受信した発信者番号を着信拒否リストに登録するステップとを有することを特徴とする電話装置における着信拒否設定方法。
【請求項１１】
特定の発信者からの着信を拒否するための着信拒否リストを有する電話装置における着信拒否設定方法であって、着信時、ネットワークから発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報と着信拒否対象の呼が着信した回数を示す着信回数情報とを読み出し要注意度が最も低く且つ着信回数が最も少ないデータを削除候補データとして探すステップと、この削除候補データを表示しユーザに削除の確認を行うステップと、この確認後該当削除候補データを削除するステップと、前記受信した発信者番号を着信拒否リストに登録するステップとを有することを特徴とする電話装置における着信拒否設定方法。
【請求項１２】
特定の発信者からの着信を拒否するための着信拒否リストを有する電話装置における着信拒否設定方法であって、着信時、ネットワークから発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探すステップと、この削除候補データを表示しユーザに削除の確認を行うステップと、この確認後該当削除候補データを削除するステップと、前記受信した発信者番号を着信拒否リストに登録するステップとを有することを特徴とする電話装置における着信拒否設定方法。
【請求項１３】
前記着信拒否リストに空きがなかった場合に記憶部に予め記憶してある着信拒否リストの自動更新可否データを読み出し判定するステップと、この自動更新が可と判定された場合着信拒否リストに登録されたデータにおける優先度の最も低いデータを探し決定した削除データを前記記憶部内に一時保存するステップと、この一時保存された削除データを読み出しユーザ確認のために表示するステップと、表示されたデータを復帰候補データとしてユーザ指示に基づき復帰させるか否かを判定するステップと、データ復帰すると判定した場合着信拒否リストにおける当該データの入替選択を行うステップと、この入替選択の決定に基づき該当データを削除すると共に前記復帰候補データを着信拒否リストに追加するステップとを有することを特徴とする請求項１０〜１２項のいずれかに記載の電話装置における着信拒否設定方法。
【請求項１４】
特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報と着信拒否対象の呼が着信した最新の時間を示す最新着信時刻情報とを読み出し要注意度が最も低く且つ着信時刻が最も古いデータを削除候補データとして探す処理と、この削除候補データを表示しユーザに削除の確認を行うステップと、この確認後該当削除候補データを削除する処理と、前記受信した発信者番号を着信拒否リストに登録する処理とをコンピュータに実行させることを特徴とするプログラム。
【請求項１５】
特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報と着信拒否対象の呼が着信した回数を示す着信回数情報とを読み出し要注意度が最も低く且つ着信回数が最も少ないデータを削除候補データとして探す処理と、この削除候補データを表示しユーザに削除の確認を行う処理と、この確認後該当削除候補データを削除する処理と、前記受信した発信者番号を着信拒否リストに登録する処理とをコンピュータに実行させることを特徴とするプログラム。
【請求項１６】
特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探す処理と、この削除候補データを表示しユーザに削除の確認を行う処理と、この確認後該当削除候補データを削除する処理と、前記受信した発信者番号を着信拒否リストに登録する処理とをコンピュータに実行させることを特徴とするプログラム。
【請求項１７】
前記着信拒否リストに空きがなかった場合に記憶部に予め記憶してある拒否リストの自動更新可否データを読み出し判定する処理と、この自動更新が可と判定された場合着信拒否リストに登録されたデータにおける優先度の最も低いデータを探し決定した削除データを前記記憶部内に一時保存する処理と、この一時保存された削除データを読み出しユーザ確認のために表示する処理と、表示されたデータを復帰候補データとしてユーザ指示に基づき復帰させるか否かを判定する処理と、データ復帰すると判定した場合着信拒否リストにおける当該データの入替選択を行う処理と、この入替選択の決定に基づき該当データを削除すると共に前記復帰候補データを着信拒否リストに追加する処理とをコンピュータに実行させることを特徴とする請求項１３〜１５項のいずれかに記載のプログラム。
【発明の詳細な説明】
【技術分野】
【０００１】
本発明は、電話装置に関し、特に電話装置における着信拒否の設定方法並びにそのプログラムに関する。
【背景技術】
【０００２】
最近、詐欺や悪質な勧誘等、電話を利用した犯罪が多発しており、これらの犯罪を未然に防ぐために電話機内に着信を許容しない着信拒否リストを設けて対応している。例えば、着信時、電話会社からの発信者番号情報と着信拒否リスト情報とから、該当着信が着信拒否対象かどうかを判断し着信を拒否している。
【０００３】
従来の着信拒否の一例が特許文献１に記載されている。この特許文献１では、着信拒否は以下のように行われる。着信と同時にその相手が、メモリ内に登録されているかどうかの判断を行い、登録している人からであれば接続を行う。そうでなければ、メモリ外の着信拒否の設定をしているかどうかの判断を行い、設定をしていれば着信拒否と判断され、その着信を無効とし電話を一方的に切る。また、設定をしてなければその着信を有効とし通話となる。
【０００４】
また、従来の着信拒否の他の例が特許文献２に記載されている。この特許文献２では、着信拒否は以下のように行われる。発信者からの呼び出しが、加入者線より交換機、回線を介して、着呼選択電話装置内の信号送受信部に入力される。これにより発信者の呼び出しが認識されると、制御部は読み取り部を起動して受信信号中の発ＩＤを読み取る。次に、制御部は判別部を起動して発ＩＤが登録リストに登録されているかを登録リスト管理部を介してチエツクする。登録されていれば、制御部は応答部を起動して応答メツセ−ジを発信者に送出し回線を切断する。
【０００５】
【特許文献１】特開２００３−００８７３５号公報（段落番号０００５）
【特許文献２】特開平０４−１１９７４７号公報（第２頁右下欄第１０行〜第３頁左上第４行）
【発明の開示】
【発明が解決しようとする課題】
【０００６】
上述したように従来の電話機における着信拒否機能では、電話機内に着信拒否リストをつくり対応している。しかしながら、ＰＢＸあるいはビジネスホンなど大規模な装置をのぞき、一般的に電話機のもつメモリには限りがある。このため、電話機の着信拒否リストに登録できる電話番号には限りがあるという問題点があった。また、迷惑電話を掛ける側も次々と電話番号を変えるため、着信拒否リストがすぐに一杯になってしまい、電話機の着信拒否機能が有効に機能しない場合が出てくるという問題点があった。
【０００７】
本発明の目的は、上述した従来の課題である電話機の着信拒否リストが上限に達した場合でも着信拒否機能が有効に機能することができる電話装置及びその着信拒否設定方法並びにプログラムを提供することにある。
【課題を解決するための手段】
【０００８】
本発明の電話装置は、特定の発信者からの着信を拒否するための着信拒否リストを有する電話装置において、着信時に前記着信拒否リストに空きがない場合、特定の優先順位に基づいて前記着信拒否リストを更新する制御手段を備える。
【０００９】
本発明の電話装置は、特定の発信者からの着信を拒否するための着信拒否リストを有する電話装置において、着信時に前記着信拒否リストに空きがない場合、特定の優先順位に基づいて前記着信拒否リストを更新する制御手段を備え、前記制御手段は、着信拒否リストに登録されたデータにおける注目度合を示す要注意度情報と着信拒否対象の呼が着信した最新の時間を示す最新着信時刻情報とにより前記優先順位を決定する。
【００１０】
本発明の電話装置は、特定の発信者からの着信を拒否するための着信拒否リストを有する電話装置において、着信時に前記着信拒否リストに空きがない場合、特定の優先順位に基づいて前記着信拒否リストを更新する制御手段を備え、前記制御手段は、着信拒否リストに登録されたデータにおける注目度合を示す要注意度情報と着信拒否対象の呼が着信した回数を示す着信回数情報とにより前記優先順位を決定する。
【００１１】
本発明の電話装置は、特定の発信者からの着信を拒否するための着信拒否リストを有する電話装置において、着信時に前記着信拒否リストに空きがない場合、特定の優先順位に基づいて前記着信拒否リストを更新する制御手段を備え、前記制御手段は、着信拒否リストに登録されたデータにおける注目度合を示す要注意度情報と着信拒否対象の呼が着信した頻度を示す着信頻度情報とにより前記優先順位を決定する。
【００１２】
本発明の電話装置は、特定の発信者からの着信を拒否するための着信拒否リストを有する電話装置において、着信時に前記着信拒否リストに空きがない場合、特定の優先順位に基づいて前記着信拒否リストを更新する制御手段を備え、前記制御手段は、着信拒否リストに登録されたデータにおける注目度合を示す要注意度情報と着信拒否対象の呼が着信した最新の時間を示す最新着信時刻情報とにより前記優先順位を決定し、着信時に、削除した着信拒否リストのデータをユーザの指示により復帰させ他のデータと入替を行う。
【００１３】
本発明の電話装置は、本発明の電話装置は、特定の発信者からの着信を拒否するための着信拒否リストを有する電話装置において、着信時に前記着信拒否リストに空きがない場合、特定の優先順位に基づいて前記着信拒否リストを更新する制御手段を備え、前記制御手段は、着信拒否リストに登録されたデータにおける注目度合を示す要注意度情報と着信拒否対象の呼が着信した回数を示す着信回数情報とにより前記優先順位を決定し、着信時に、削除した着信拒否リストのデータをユーザの指示により復帰させ他のデータと入替を行う。
【００１４】
本発明の電話装置は、特定の発信者からの着信を拒否するための着信拒否リストを有する電話装置において、着信時に前記着信拒否リストに空きがない場合、特定の優先順位に基づいて前記着信拒否リストを更新する制御手段を備え、前記制御手段は、着信拒否リストに登録されたデータにおける注目度合を示す要注意度情報と着信拒否対象の呼が着信した頻度を示す着信頻度情報とにより前記優先順位を決定し、着信時に、削除した着信拒否リストのデータをユーザの指示により復帰させ他のデータと入替を行う。
【００１５】
本発明の電話装置は、特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報と着信拒否対象の呼が着信した最新の時間を示す最新着信時刻情報とを読み出し要注意度が最も低く且つ着信時刻が最も古いデータを削除候補データとして探す要注意度及び着信時刻比較部と、前記要注意度及び着信時刻比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備える。
【００１６】
本発明の電話装置は、特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報と着信拒否対象の呼が着信した回数を示す着信回数情報とを読み出し要注意度が最も低く且つ着信回数が最も少ないデータを削除候補データとして探す要注意度及び着信回数比較部と、前記要注意度及び着信回数比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備える。
【００１７】
本発明の電話装置は、特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探す要注意度及び着信頻度比較部と、前記要注意度及び着信頻度比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備える。
【００１８】
本発明の電話装置は、特定の発信者からの着信を拒否するための着信拒否リストを有する電話装置において、着信時に前記着信拒否リストに空きがない場合、特定の優先順位に基づいて前記着信拒否リストを更新する制御手段を備え、前記制御手段は、着信拒否リストに登録されたデータにおける注目度合を示す要注意度情報と着信拒否対象の呼が着信した頻度を示す着信頻度情報とにより前記優先順位を決定し、着信時に、削除した着信拒否リストのデータをユーザの指示により復帰させ他のデータと入替を行う。
【００１９】
本発明の電話装置は、特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報と着信拒否対象の呼が着信した最新の時間を示す最新着信時刻情報とを読み出し要注意度が最も低く且つ着信時刻が最も古いデータを削除候補データとして探す要注意度及び着信時刻比較部と、前記要注意度及び着信時刻比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備え、更に前記制御部は、前記制御部は、前記拒否リスト空き調査部の調査結果で空きがなかった場合に前記記憶部から着信拒否リストの自動更新可否データを読み出し判定する拒否リスト自動更新判定部と、この拒否リスト自動更新判定部で自動更新が可と判定された場合前記要注意度及び着信時刻比較部により着信拒否リストに登録されたデータにおける優先度の最も低いデータを探し決定した削除データを前記記憶部内に一時保存するための制御を行う削除データ保存制御部と、前記削除データ保存制御部により一時保存された削除データを読み出しユーザ確認のために表示する削除データ表示制御部と、前記削除データ表示制御部により表示されたデータを復帰候補データとしてユーザ指示に基づき復帰させるか否かを判定するデータ復帰判定部と、前記データ復帰判定部がデータ復帰すると判定した場合着信拒否リストにおける当該データの入替選択を行うデータ入替判定部と、前記データ入替判定部の決定に基づき該当データを削除すると共に前記復帰候補データを着信拒否リストに追加するデータ入替制御部とを備える。
【００２０】
本発明の電話装置は、特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報と着信拒否対象の呼が着信した回数を示す着信回数情報とを読み出し要注意度が最も低く且つ着信回数が最も少ないデータを削除候補データとして探す要注意度及び着信回数比較部と、前記要注意度及び着信回数比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備え、更に前記制御部は、前記拒否リスト空き調査部の調査結果で空きがなかった場合に前記記憶部から着信拒否リストの自動更新可否データを読み出し判定する拒否リスト自動更新判定部と、この拒否リスト自動更新判定部で自動更新が可と判定された場合前記要注意度及び着信回数比較部により着信拒否リストに登録されたデータにおける優先度の最も低いデータを探し決定した削除データを前記記憶部内に一時保存するための制御を行う削除データ保存制御部と、前記削除データ保存制御部により一時保存された削除データを読み出しユーザ確認のために表示する削除データ表示制御部と、前記削除データ表示制御部により表示されたデータを復帰候補データとしてユーザ指示に基づき復帰させるか否かを判定するデータ復帰判定部と、前記データ復帰判定部がデータ復帰すると判定した場合着信拒否リストにおける当該データの入替選択を行うデータ入替判定部と、前記データ入替判定部の決定に基づき該当データを削除すると共に前記復帰候補データを着信拒否リストに追加するデータ入替制御部とを備える。
【００２１】
本発明の電話装置は、特定の発信者からの着信を拒否するための着信拒否リストを有する記憶部と、この着信拒否リストの更新制御を行う制御部とを備える電話装置において、前記制御部は、着信拒否リストへの登録を指示するためのユーザ操作を検出する機能ボタン押下検出部と、前記機能ボタン押下検出部の指示に基づき着信拒否リストに空きがあるか否かを確認する拒否リスト空き調査部と、前記拒否リスト空き調査部の確認結果で空きがなかった場合に着信拒否リストに登録されたデータにおける注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探す要注意度及び着信頻度比較部と、前記要注意度及び着信頻度比較部が探し出した削除候補データを表示しユーザの意志を確認して削除するデータを決定する削除データ決定部と、前記削除データ決定部で決定した着信拒否すべき電話番号を着信拒否リストに登録する拒否番号登録部とを備え、更に前記制御部は、前記拒否リスト空き調査部の調査結果で空きがなかった場合に前記記憶部から着信拒否リストの自動更新可否データを読み出し判定する拒否リスト自動更新判定部と、この拒否リスト自動更新判定部で自動更新が可と判定された場合前記前記要注意度及び着信頻度比較部により着信拒否リストに登録されたデータにおける優先度の最も低いデータを探し決定した削除データを前記記憶部内に一時保存するための制御を行う削除データ保存制御部と、前記削除データ保存制御部により一時保存された削除データを読み出しユーザ確認のために表示する削除データ表示制御部と、前記削除データ表示制御部により表示されたデータを復帰候補データとしてユーザ指示に基づき復帰させるか否かを判定するデータ復帰判定部と、前記データ復帰判定部がデータ復帰すると判定した場合着信拒否リストにおける当該データの入替選択を行うデータ入替判定部と、前記データ入替判定部の決定に基づき該当データを削除すると共に前記復帰候補データを着信拒否リストに追加するデータ入替制御部とを備える。
【００２２】
本発明の電話装置における着信拒否設定方法は、特定の発信者からの着信を拒否するための着信拒否リストを有する電話装置における着信拒否設定方法であって、着信時、ネットワーク更に前記制御部は、から発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報と着信拒否対象の呼が着信した最新の時間を示す最新着信時刻情報とを読み出し要注意度が最も低く且つ着信時刻が最も古いデータを削除候補データとして探すステップと、この削除候補データを表示しユーザに削除の確認を行うステップと、この確認後該当削除候補データを削除するステップと、前記受信した発信者番号を着信拒否リストに登録するステップとを有する。
【００２３】
本発明の電話装置における着信拒否設定方法は、特定の発信者からの着信を拒否するための着信拒否リストを有する電話装置における着信拒否設定方法であって、着信時、ネットワークから発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報と着信拒否対象の呼が着信した回数を示す着信回数情報とを読み出し要注意度が最も低く且つ着信回数が最も少ないデータを削除候補データとして探すステップと、この削除候補データを表示しユーザに削除の確認を行うステップと、この確認後該当削除候補データを削除するステップと、前記受信した発信者番号を着信拒否リストに登録するステップとを有する。
【００２４】
本発明の電話装置における着信拒否設定方法は、特定の発信者からの着信を拒否するための着信拒否リストを有する電話装置における着信拒否設定方法であって、着信時、ネットワークから発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探すステップと、この削除候補データを表示しユーザに削除の確認を行うステップと、この確認後該当削除候補データを削除するステップと、前記受信した発信者番号を着信拒否リストに登録するステップとを有する。
【００２５】
本発明の電話装置における着信拒否設定方法は、特定の発信者からの着信を拒否するための着信拒否リストを有する電話装置における着信拒否設定方法であって、着信時、ネットワーク更に前記制御部は、から発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報と着信拒否対象の呼が着信した最新の時間を示す最新着信時刻情報とを読み出し要注意度が最も低く且つ着信時刻が最も古いデータを削除候補データとして探すステップと、この削除候補データを表示しユーザに削除の確認を行うステップと、この確認後該当削除候補データを削除するステップと、前記受信した発信者番号を着信拒否リストに登録するステップとを有し、更に、前記着信拒否リストに空きがなかった場合に記憶部に予め記憶してある着信拒否リストの自動更新可否データを読み出し判定するステップと、この自動更新が可と判定された場合着信拒否リストに登録されたデータにおける優先度の最も低いデータを探し決定した削除データを前記記憶部内に一時保存するステップと、この一時保存された削除データを読み出しユーザ確認のために表示するステップと、表示されたデータを復帰候補データとしてユーザ指示に基づき復帰させるか否かを判定するステップと、データ復帰すると判定した場合着信拒否リストにおける当該データの入替選択を行うステップと、この入替選択の決定に基づき該当データを削除すると共に前記復帰候補データを着信拒否リストに追加するステップとを有する。
【００２６】
本発明の電話装置における着信拒否設定方法は、特定の発信者からの着信を拒否するための着信拒否リストを有する電話装置における着信拒否設定方法であって、着信時、ネットワークから発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報と着信拒否対象の呼が着信した回数を示す着信回数情報とを読み出し要注意度が最も低く且つ着信回数が最も少ないデータを削除候補データとして探すステップと、この削除候補データを表示しユーザに削除の確認を行うステップと、この確認後該当削除候補データを削除するステップと、前記受信した発信者番号を着信拒否リストに登録するステップとを有し、更に、前記着信拒否リストに空きがなかった場合に記憶部に予め記憶してある着信拒否リストの自動更新可否データを読み出し判定するステップと、この自動更新が可と判定された場合着信拒否リストに登録されたデータにおける優先度の最も低いデータを探し決定した削除データを前記記憶部内に一時保存するステップと、この一時保存された削除データを読み出しユーザ確認のために表示するステップと、表示されたデータを復帰候補データとしてユーザ指示に基づき復帰させるか否かを判定するステップと、データ復帰すると判定した場合着信拒否リストにおける当該データの入替選択を行うステップと、この入替選択の決定に基づき該当データを削除すると共に前記復帰候補データを着信拒否リストに追加するステップとを有する。
【００２７】
本発明の電話装置における着信拒否設定方法は、特定の発信者からの着信を拒否するための着信拒否リストを有する電話装置における着信拒否設定方法であって、着信時、ネットワークから発信者番号を受信するステップと、着信拒否リストを検索しこの受信した発信者番号と一致するデータが登録されているか否かを確認するステップと、受信した発信者番号が登録されていない場合ユーザからの着信拒否登録操作を検出するステップと、この検出後着信拒否リストに空きがあるか否かを調査するステップと、着信拒否リストに空きがない場合着信拒否リストのデータについて注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探すステップと、この削除候補データを表示しユーザに削除の確認を行うステップと、この確認後該当削除候補データを削除するステップと、前記受信した発信者番号を着信拒否リストに登録するステップとを有し、更に、前記着信拒否リストに空きがなかった場合に記憶部に予め記憶してある着信拒否リストの自動更新可否データを読み出し判定するステップと、この自動更新が可と判定された場合着信拒否リストに登録されたデータにおける優先度の最も低いデータを探し決定した削除データを前記記憶部内に一時保存するステップと、この一時保存された削除データを読み出しユーザ確認のために表示するステップと、表示されたデータを復帰候補データとしてユーザ指示に基づき復帰させるか否かを判定するステップと、データ復帰すると判定した場合着信拒否リストにおける当該データの入替選択を行うステップと、この入替選択の決定に基づき該当データを削除すると共に前記復帰候補データを着信拒否リストに追加するステップとを有する。
【００２８】
本発明のプログラムは、特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報と着信拒否対象の呼が着信した最新の時間を示す最新着信時刻情報とを読み出し要注意度が最も低く且つ着信時刻が最も古いデータを削除候補データとして探す処理と、この削除候補データを表示しユーザに削除の確認を行うステップと、この確認後該当削除候補データを削除する処理と、前記受信した発信者番号を着信拒否リストに登録する処理とをコンピュータに実行させる。
【００２９】
本発明のプログラムは、特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報と着信拒否対象の呼が着信した回数を示す着信回数情報とを読み出し要注意度が最も低く且つ着信回数が最も少ないデータを削除候補データとして探す処理と、この削除候補データを表示しユーザに削除の確認を行う処理と、この確認後該当削除候補データを削除する処理と、前記受信した発信者番号を着信拒否リストに登録する処理とをコンピュータに実行させる。
【００３０】
本発明のプログラムは、特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探す処理と、この削除候補データを表示しユーザに削除の確認を行う処理と、この確認後該当削除候補データを削除する処理と、前記受信した発信者番号を着信拒否リストに登録する処理とをコンピュータに実行させる。
【００３１】
特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報と着信拒否対象の呼が着信した最新の時間を示す最新着信時刻情報とを読み出し要注意度が最も低く且つ着信時刻が最も古いデータを削除候補データとして探す処理と、この削除候補データを表示しユーザに削除の確認を行うステップと、この確認後該当削除候補データを削除する処理と、前記受信した発信者番号を着信拒否リストに登録する処理とをコンピュータに実行させ、更に、前記着信拒否リストに空きがなかった場合に記憶部に予め記憶してある着信拒否リストの自動更新可否データを読み出し判定する処理と、この自動更新が可と判定された場合着信拒否リストに登録されたデータにおける優先度の最も低いデータを探し決定した削除データを前記記憶部内に一時保存する処理と、この一時保存された削除データを読み出しユーザ確認のために表示する処理と、表示されたデータを復帰候補データとしてユーザ指示に基づき復帰させるか否かを判定する処理と、データ復帰すると判定した場合着信拒否リストにおける当該データの入替選択を行う処理と、この入替選択の決定に基づき該当データを削除すると共に前記復帰候補データを着信拒否リストに追加する処理とをコンピュータに実行させる。
【００３２】
特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報と着信拒否対象の呼が着信した回数を示す着信回数情報とを読み出し要注意度が最も低く且つ着信回数が最も少ないデータを削除候補データとして探す処理と、この削除候補データを表示しユーザに削除の確認を行う処理と、この確認後該当削除候補データを削除する処理と、前記受信した発信者番号を着信拒否リストに登録する処理とをコンピュータに実行させ、更に、前記着信拒否リストに空きがなかった場合に記憶部に予め記憶してある着信拒否リストの自動更新可否データを読み出し判定する処理と、この自動更新が可と判定された場合着信拒否リストに登録されたデータにおける優先度の最も低いデータを探し決定した削除データを前記記憶部内に一時保存する処理と、この一時保存された削除データを読み出しユーザ確認のために表示する処理と、表示されたデータを復帰候補データとしてユーザ指示に基づき復帰させるか否かを判定する処理と、データ復帰すると判定した場合着信拒否リストにおける当該データの入替選択を行う処理と、この入替選択の決定に基づき該当データを削除すると共に前記復帰候補データを着信拒否リストに追加する処理とをコンピュータに実行させる。
【００３３】
本発明のプログラムは、特定の発信者からの着信を拒否するための着信拒否リストを有する電話装置における着信拒否設定処理をコンピュータに実行させるプログラムであって、着信時、ネットワークから発信者番号を受信する処理と、着信拒否リストを検索しこの受信した発信者番号と一致するデータが登録されているか否かを確認する処理と、受信した発信者番号が登録されていない場合ユーザからの着信拒否登録操作を検出する処理と、この検出後着信拒否リストに空きがあるか否かを調査する処理と、着信拒否リストに空きがない場合着信拒否リストのデータについて注目度合を示す要注意度情報を読み出しこの要注意度の低い順に並べ替えそれぞれの着信回数情報及び登録時刻情報を読み出して着信頻度を算出し要注意度が最も低く且つ着信頻度が最も低いデータを削除候補データとして探す処理と、この削除候補データを表示しユーザに削除の確認を行う処理と、この確認後該当削除候補データを削除する処理と、前記受信した発信者番号を着信拒否リストに登録する処理とをコンピュータに実行させ、更に、前記着信拒否リストに空きがなかった場合に記憶部に予め記憶してある着信拒否リストの自動更新可否データを読み出し判定する処理と、この自動更新が可と判定された場合着信拒否リストに登録されたデータにおける優先度の最も低いデータを探し決定した削除データを前記記憶部内に一時保存する処理と、この一時保存された削除データを読み出しユーザ確認のために表示する処理と、表示されたデータを復帰候補データとしてユーザ指示に基づき復帰させるか否かを判定する処理と、データ復帰すると判定した場合着信拒否リストにおける当該データの入替選択を行う処理と、この入替選択の決定に基づき該当データを削除すると共に前記復帰候補データを着信拒否リストに追加する処理とをコンピュータに実行させる。
【００３４】
本発明によれば、着信拒否リストの登録件数が上限に達している状態で、新たな電話番号から迷惑電話があった場合に、着信拒否リスト内で最も優先度の低い電話番号を削除し、新たにかかってきた番号を着信拒否リストに登録できる。
【発明の効果】
【００３５】
本発明は、特定の発信者からの着信を拒否するための着信拒否リストを有する電話装置において、着信時に着信拒否リストに空きがない場合、特定の優先順位に基づいて着信拒否リストを更新する。これにより、新たな電話番号から迷惑電話があった場合に、影響度が一番低いと考えられる登録済みのデータを削除し、新たに着信拒否データを登録できるという効果を有する。
【発明を実施するための最良の形態】
【００３６】
次に、本発明を実施するための最良の形態について図面を参照して説明する。図１（ａ）は本発明の第１の実施の形態の電話装置におけるブロック図である。図１（ａ）を参照すると、電話装置１００は、制御部１０１と、外線インタフェース部１０２と、モデム信号受信部１０３と、通話路スイッチ１０４と、記憶部１０５と、ハンドセット１０６とを有する。電話装置１００は、更に、フックスイッチ１０７と、ダイヤルキーパッド１０８と、機能ボタン１０９と、表示部１１０と、時計１１１とを有する。
【００３７】
制御部１０１は装置全体の制御を行うもので、マイクロプロセッサ等のコンピュータにより構成される。制御部１０１は、記憶部１０５に格納している動作処理用のプログラムを読み込み、電話装置各部を制御する。外線インタフェース部１０２は加入者回線の捕捉、開放、終端を制御する。モデム信号受信部１０３は、外線インタフェース部１０２に接続され、加入者回線からの発信者番号情報を通知するためのモデム信号を受信、解析する。通話路スイッチ１０４は通話パスの接続、切り替えを行う。記憶部１０５は、ＲＯＭ（Ｒｅａｄ  Ｏｎｌｙ  Ｍｅｍｏｒｙ）及びＲＡＭ（Ｒａｎｄａｍ  Ａｃｃｅｓｓ  Ｍｅｍｏｒｙ）により構成される。記憶部１０５は、制御部１０１の制御により電話装置の動作に関するプログラム、各種設定データ、電話帳、着信拒否リスト、動作ログ、音声データ等を記憶する。ハンドセット１０６はユーザ（利用者）が通話を行うための送受話器である。フックスイッチ１０７はハンドセット１０６の状態を管理する。ダイヤルキーパッド１０８は利用者がダイヤル入力を行うためのものである。機能ボタン１０９は電話帳登録や様々な機能を実現する際に利用者が操作する。表示部１１０は制御部１０１の制御により発信者情報や操作案内を表示する。時計１１１は時刻および日付の管理を行う。
【００３８】
図１（ｂ）は（ａ）における制御部の着信拒否設定に係わる主要部を示すブロック図である。図１（ｂ）を参照すると、制御部１０１は、機能ボタン押下検出部１０１１と、拒否リスト空き調査部１０１２と、要注意度及び着信時刻比較部１０１３と、削除データ決定部１０１４と、拒否番号登録部１０１５と、通話路制御部１０１６とを備える。機能ボタン押下検出部１０１１は着信拒否リストへの登録を指示するためのユーザ操作を検出する。拒否リスト空き調査部１０１２は機能ボタン押下検出部１０１１の指示に基づき着信拒否リストに空きがあるか否かを確認する。要注意度及び着信時刻比較部１０１３は、拒否リスト空き調査部１０１２の確認結果で空きがなかった場合に、着信拒否リストに登録されたデータにおける注目度合を示す要注意度情報と着信拒否対象の呼が着信した最新の時間を示す最新着信時刻情報とを読み出す。更に要注意度及び着信時刻比較部１０１３は、要注意度が最も低く且つ着信時刻が最も古いデータを削除候補データとして探す。削除データ決定部１０１４は、要注意度及び着信時刻比較部１０１３が探し出した削除候補データを表示しユーザの意志を確認して削除するデータを決定する。拒否番号登録部１０１５は削除データ決定部１０１４で決定した着信拒否すべき電話番号を着信拒否リストに登録する。通話路制御部１０１６は拒否番号登録部１０１５で着信拒否すべき電話番号を登録した後に発信者にメッセージを送出し通話路を切断制御する。
【００３９】
図１（ａ）において、電話装置１００で通話中、利用者が現在の通話を迷惑電話であると認識した場合、利用者は着信拒否リスト登録のための機能ボタン１０９を押下する。制御部１０１は機能ボタン１０９の押下情報を受けると、記憶部１０５内の着信拒否リストに空きがあるかどうかを調査する。着信拒否リストに空きがない場合には、着信拒否リストのデータについて、要注意度情報と最新着信時刻情報とを読み出し、要注意度が低いものから順に並べ替える。次に、要注意度毎に最新着信時間が古い順に並べ直す。この結果得られた要注意度が最も低く、且つ最新着信時間が古いものを探し出す。制御部１０１は、得られた着信拒否リスト情報を表示部１１０に表示し、利用者に対し、該当データを消去し現着信呼を新たに着信拒否リストに登録してよいかどうかを確認する。利用者は登録可否を、該当するダイヤルキーパッド１０８の押下により入力する。利用者が該当データの保持を希望した場合、要注意度が低く、最新着信時間が２番目に古いものを探し出す。以下、利用者がＯＫを入力するまで次候補を選出する。利用者がＯＫを押下した場合、該当データを着信拒否リストから削除し、該当呼の発信者番号を着信拒否リストに登録する。このとき、表示部１１０に要注意度を入力する旨の表示を行い、特に悪質な呼であった場合のため、利用者が必要に応じて要注意度を入力することができる。更に制御部１０１は時計１１１を読み出し、着信拒否リストの登録時間として登録する。着信拒否リストへの登録が完了すると、制御部１０１は、記憶部１０５から切断メッセージ読み出し、通話路スイッチ１０４を介してこれを発信者に送出後、外線インタフェース部１０２を制御し通話を切断する。切断メッセージは予め記憶部に記憶され、例えば「申し訳ありませんが、おつなぎできません」のようなメッセージである。
【００４０】
以下に、本発明の第１の実施の形態における着信拒否設定動作について図１〜図３を用いて詳細に説明する。図２は第１の実施の形態の電話装置における着信拒否設定方法を示すフローチャートである。図３は着信拒否リストの一例を示す図であり、記憶部１０５内に保存されるデータである。
【００４１】
電話装置１００に着信が入ったことを外線インタフェース部１０２が検出すると、外線インタフェース部１０２は、これを制御部１０１に通知する。制御部１０１は、記憶部１０５を確認し、電話装置が電話会社からのナンバーディスプレイ受信を契約している回線に接続されているかどうか確認する（ステップ２０１；以降Ｓ２０１のように略称する）。着信時、外線インタフェース部１０２で電話会社からの発信者番号情報を受信すると、これをモデム信号受信部１０３に送り解析した後、解析結果を制御部１０１に送る（Ｓ２０２）。制御部１０１はこれを記憶部１０５に格納すると共に、記憶部１０５内の着信拒否リストを検索し、得られた発信者番号と一致するデータがあるかどうかを確認する（Ｓ２０３）。
【００４２】
着信拒否リストは図３に示す構成となっている。登録ＮＯ．ごとに発信者の電話番号，発信者の名前，最新着信時刻，着信回数，登録時刻及び要注意度が格納される。最新着信時刻は、着信拒否リストに登録した当該番号から着信した場合の最も新しい時刻を示す。着信回数はそれまでに当該番号から着信累計数を示す。登録時刻は当該番号を着信拒否リストに登録した時刻を示す。要注意度は、当該番号の注目の度合を示すもので、例えば１〜５段階に区分し数字が増えると、注目度が増すことを示している。着信拒否リストに着信呼の発信者番号が登録されている場合（Ｓ２０３）、制御部１０１は、記憶部１０５から切断メッセージを読み出し、通話路スイッチ１０４を介してこれを発信者に送出する（Ｓ２１６）。そして、外線インタフェース部１０２を制御し通話を切断する（Ｓ２１７）。着信の発信者番号が着信拒否リストに登録されていない場合には（Ｓ２０３）、利用者が通話のためにハンドセット１０６を上げた時点で、フックスイッチ１０７がこれを検出する。この結果、制御部１０１にオフフック情報が通知され（Ｓ２１８）、通話開始となる（Ｓ２１９）。
【００４３】
通話中、利用者が現在の通話を迷惑電話であると認識した場合（Ｓ２０４）、利用者は着信拒否リスト登録のための機能ボタン１０９を押下する（Ｓ２０６）。制御部１０１の機能ボタン押下検出部１０１１は機能ボタン１０９の押下を検出する。そして、拒否リスト空き調査部１０１２は記憶部１０５にアクセスし、着信拒否リストに空きがあるかどうかを調査する（Ｓ２０７）。着信拒否リストに空きがある場合には（Ｓ２０７）、拒否番号登録部１０１５は発信者番号を記憶部１０５内の着信拒否リストに登録する（Ｓ２１３）。このとき、表示部１１０に要注意度を入力する旨の表示を行い、特に悪質な呼であった場合のため、利用者が必要に応じて要注意度をダイヤルキーパッド１０８から入力することができる（Ｓ２１４）。更に制御部１０１は時計１１１を読み出し、これを着信拒否リストに登録時刻として登録すると共に着信拒否リストの最新着信時刻にも登録する（Ｓ２１５）。着信拒否リストへの登録が完了すると、通話路制御部１０１６は、記憶部１０５から切断メッセージ読み出し、通話路スイッチ１０４を介してこれを発信者に送出する（Ｓ２１６）。そして、外線インタフェース部１０２を制御し通話を切断する（Ｓ２１７）。着信拒否リストに登録される最新着信時刻については、着信時で制御部１０１が時計１１１を読み出し、該当番号からの着信があるたびに更新する（Ｓ２０５）。
【００４４】
一方、利用者が着信拒否リスト登録のための機能ボタン１０９を押下した際、着信拒否リストに空きがない場合には（Ｓ２０７）、要注意度及び着信時刻比較部１０１３は、着信拒否リストのデータについて要注意度情報と最新着信時刻情報とを読み出し、要注意度が低いものから順に並べ替える（Ｓ２０８）。並べ替えは要注意度の低い「１」から行い、以降「２」から順次「５」へと進める。次に、要注意度毎に最新着信時間が古い順に並べ直す（Ｓ２０９）。この結果得られた、要注意度が最も低く、且つ最新着信時間が古いものを探し出す。削除データ決定部１０１４は、検索の結果得られた削除対象着信拒否リスト情報を表示部１１０に表示する。そして、利用者に対し該当データを消去し、現着信呼を新しく着信拒否リストに登録してよいかどうかを確認する（Ｓ２１０）。利用者は可否を、該当するキーパッド１０８の押下により入力する。
【００４５】
利用者が該当データの保持を希望した場合（Ｓ２１１）、要注意度が低く、最新着信時間が２番目に古いものを検索する（Ｓ２０９）。以下、利用者が削除可に該当するキーパッド１０８を入力するまで次候補の選出を継続する。利用者が削除可に該当するキーパッド１０８を押下した場合（Ｓ２１１）、削除データ決定部１０１４は該当データを着信拒否リストから削除する（Ｓ２１２）。そして拒否番号登録部１０１５は、該当呼の発信者番号を着信拒否リストに登録する（Ｓ２１３）。このとき、表示部１１０に要注意度を入力する旨の表示を行い、特に悪質な呼であった場合のために、利用者が必要に応じて要注意度を入力することができる（Ｓ２１４）。更に制御部１０１は、時計１１１を読み出し、これを着信拒否リストに登録時刻として登録すると共に着信拒否リストの最新着信時刻にも登録する（Ｓ２１５）。着信拒否リストへの登録が完了すると、通話路制御部１０１６は、記憶部１０５から切断メッセージ読み出し、通話路スイッチ１０４を介してこれを発信者に送出する（Ｓ２１６）。そして、外線インタフェース部１０２を制御し通話を切断する（Ｓ２１７）。
【００４６】
以上のように本発明の第１の実施の形態では、特定の発信者からの着信を拒否するための着信拒否リストを有する電話装置において、着信時に着信拒否リストに空きがない場合、特定の優先順位に基づいて着信拒否リストを更新する制御手段（制御部１０１）を備える。この制御手段は、着信拒否リストに登録されたデータにおける注目度合を示す要注意度情報と着信拒否対象の呼が着信した最新の時間を示す最新着信時刻情報とにより優先順位を決定することを特徴とする。これにより、注意度が最も低く、且つ着信時刻が最も古い影響度が一番低いデータを削除し、新たに着信拒否データを登録することができるという効果を有する。
【００４７】
次に、本発明の第２の実施の形態について図４、図５を用いて説明する。図４は本発明の第２の実施の形態の電話装置（図示せず）における制御部の着信拒否設定に係わる主要部を示すブロック図である。尚、制御部以外の構成は図１（ａ）で示したものと同様なので、図示を省略する。
【００４８】
図４を参照すると、制御部４０１は、機能ボタン押下検出部４０１１と、拒否リスト空き調査部４０１２と、要注意度及び着信回数比較部４０１３と、削除データ決定部４０１４と、拒否番号登録部４０１５と、通話路制御部４０１６とを備える。機能ボタン押下検出部４０１１は着信拒否リストへの登録を指示するためのユーザ操作を検出する。拒否リスト空き調査部４０１２は機能ボタン押下検出部４０１１の指示に基づき着信拒否リストに空きがあるか否かを確認する。要注意度及び着信時刻比較部４０１３は、拒否リスト空き調査部４０１２の確認結果で空きがなかった場合に、着信拒否リストに登録されたデータにおける注目度合を示す要注意度情報と着信拒否対象の呼が着信した回数を示す着信回数情報とを読み出す。更に要注意度及び着信回数比較部４０１３は、要注意度が最も低く且つ着信回数時刻が最も少ないデータを削除候補データとして探す。削除データ決定部４０１４は、要注意度及び着信回数比較部４０１３が探し出した削除候補データを表示しユーザの意志を確認して削除するデータを決定する。拒否番号登録部４０１５は削除データ決定部４０１４で決定した着信拒否すべき電話番号を着信拒否リストに登録する。通話路制御部４０１６は拒否番号登録部４０１５で着信拒否すべき電話番号を登録した後に発信者にメッセージを送出し通話路を切断制御する。
【００４９】
図５は第２の実施の形態の電話装置における着信拒否設定方法を示すフローチャートである。以下に第１の実施の形態と相違する箇所を主体に説明する。
【００５０】
利用者が該当電話番号を着信拒否リストに登録しようとした際、着信リストに空きがある場合は、前述した第１の実施の形態で説明した動作となる。着信拒否リストに空きがない場合には（Ｓ５０７）、要注意度及び着信回数比較部４０１３は、着信リストのデータについて要注意度情報と着信回数情報とを読み出し、要注意度が低いものから順に並べ替える（Ｓ５０８）。要注意度の並べ替え手順は、第１の実施の形態で説明した手順と同様である。次に、要注意度毎に着信回数が少ない古い順に並べなおす（Ｓ５０９）。この結果得られた要注意度が最も低く、且つ着信回数が少ないものを探し出す。削除データ決定部４０１４は、検索の結果得られた削除対象着信拒否リスト情報を表示部（図示せず）に表示する。そして、利用者に対し、該当データを消去し、現着信呼を新しく着信拒否リストに登録してよいかどうかを確認する（Ｓ５１０）。利用者は可否を、該当するキーパッド（図示せず）を押下により入力する。利用者が該当データの保持を希望した場合（Ｓ５１１）、要注意度が低く、着信回数が２番目に少ないものを探し出す（Ｓ５０９）。以下、利用者が削除可に該当するキーパッドを入力するまで次候補の選出を継続する。
【００５１】
利用者が削除可に該当するキーパッドを押下した場合（Ｓ５１１）、削除データ決定部４０１４は該当データを着信拒否リストから削除し（Ｓ５１２）、拒否番号登録部４０１５は該当呼の発信者番号を着信拒否リストに登録する（Ｓ５１３）。このとき、表示部に要注意度を入力する旨の表示を行い、特に悪質な呼であった場合のため、利用者が必要に応じて要注意度を入力することができる（Ｓ５１４）。更に制御部４０１は時計（図示せず）を読み出し、これを着信拒否リストに登録時刻として登録すると共に着信拒否リストの最新着信時刻にも登録する（Ｓ５１５）。着信拒否リストへの登録が完了すると、通話路制御部４０１６は、記憶部から切断メッセージを読み出し、通話路スイッチ（図示せず）を介してこれを発信者に送出する（Ｓ５１６）。そして、外線インタフェース部（図示せず）を制御し通話を切断する（Ｓ５１７）。
【００５２】
以上のように本発明の第２の実施の形態では、特定の発信者からの着信を拒否するための着信拒否リストを有する電話装置において、着信時に着信拒否リストに空きがない場合、特定の優先順位に基づいて着信拒否リストを更新する制御手段（制御部４０１）を備える。この制御手段は、着信拒否リストに登録されたデータにおける注目度合を示す要注意度情報と着信拒否対象の呼が着信した回数を示す着信回数情報とにより優先順位を決定することを特徴とする。これにより、要注意度が最も低く、且つ最も着信の少ない影響度が一番低いデータを削除し、新たに着信拒否データを登録することができるという効果を有する。
【００５３】
次に、本発明の第３の実施の形態について図６、図７を用いて説明する。図６は本発明の第３の実施の形態の電話装置（図示せず）における制御部の着信拒否設定に係わる主要部を示すブロック図である。尚、制御部以外の構成は図１（ａ）で示したものと同様なので、図示を省略する。
【００５４】
図６を参照すると、制御部６０１は、機能ボタン押下検出部６０１１と、拒否リスト空き調査部６０１２と、要注意度及び着信頻度比較部６０１３と、削除データ決定部６０１４と、拒否番号登録部６０１５と、通話路制御部６０１６とを備える。機能ボタン押下検出部６０１１は着信拒否リストへの登録を指示するためのユーザ操作を検出する。拒否リスト空き調査部６０１２は、機能ボタン押下検出部６０１１の指示に基づき着信拒否リストに空きがあるか否かを確認する。要注意度及び着信頻度比較部６０１３は、拒否リスト空き調査部６０１２の確認結果で空きがなかった場合に着信拒否リストに登録されたデータにおける注目度合を示す要注意度情報を読み出す。更に要注意度及び着信頻度比較部６０１３は、この要注意度の低い順に並べ替えそれぞれの着信回数情報及び登録時刻情報を読み出して着信頻度を算出し要注意度が最も低く且つ着信頻度が最も低いデータを削除候補データとして探す。削除データ決定部６０１４は、要注意度及び着信頻度比較部６０１３が探し出した削除候補データを表示しユーザの意志を確認して削除するデータを決定する。拒否番号登録部６０１５は削除データ決定部６０１４で決定した着信拒否すべき電話番号を着信拒否リストに登録する。通話路制御部６０１６は拒否番号登録部６０１５で着信拒否すべき電話番号を登録した後に発信者にメッセージを送出し通話路を切断制御する。
【００５５】
図７は第３の実施の形態の電話装置における着信拒否設定方法を示すフローチャートである。以下に第１の実施の形態と相違する箇所を主体に説明する。
【００５６】
利用者が該当電話番号を着信拒否リストに登録しようとした際、着信リストに空きがある場合は、前述した第１の実施の形態で説明した動作となる。着信拒否リストに空きがない場合には（Ｓ７０７）、要注意度及び着信頻度比較部６０１３は、着信リストのデータについて要注意度が低い順に並べ替える（Ｓ７０８）。要注意度の並べ替え手順は、第１の実施の形態で説明した手順と同様である。そして、それらの着信回数情報を読み出す（Ｓ７０９）。次に登録時刻情報を読み出し（Ｓ７２０）、時計（図示せず）からの時刻情報とともに、着信頻度を算出する（Ｓ７２１）。例えば、登録後の経過時間が４時間で、その間の着信回数が２０回の場合、２０／４＝５というように算出する。また、経過時間が２時間で、その間の着信回数が２０回の場合、２０／２＝１０となり、前者の場合の方が着信頻度が低いことになる。
【００５７】
この結果得られた要注意度が最も低く、且つ着信頻度が最も低いもの、つまり最も優先度の低いデータを探し出す。削除データ決定部６０１４は、検索の結果得られた削除対象着信拒否リスト情報を表示部（図示せず）に表示する。そして、利用者に対し該当データを消去し、現着信呼を新しく着信拒否リストに登録してよいかどうかを確認する（Ｓ７１０）。利用者は可否を、該当するキーパッド（図示せず）を押下により入力する。利用者が該当データの保持を希望した場合（Ｓ７１１）、要注意度が低く、着信頻度が２番目に低いものを探し出す（Ｓ７０９）。以下、利用者が削除可に該当するキーパッドを入力するまで次候補の選出を継続する。
【００５８】
利用者が削除可に該当するキーパッドを押下した場合（Ｓ７１１）、削除データ決定部６０１４は該当データを着信拒否リストから削除する（Ｓ７１２）。拒否番号登録部６０１５は該当呼の発信者番号を着信拒否リストに登録する（Ｓ７１３）。このとき、表示部に要注意度を入力する旨の表示を行い、特に悪質な呼であった場合のため、利用者が必要に応じて要注意度を入力することができる（Ｓ７１４）。更に制御部６０１は時計を読み出し、これを着信拒否リストに登録時刻として登録すると共に着信拒否リストの最新着信時刻にも登録する（Ｓ７１５）。着信拒否リストへの登録が完了すると、通話路制御部６０１６は、記憶部から切断メッセージ読み出し、通話路スイッチ（図示せず）を介してこれを発信者に送出する（Ｓ７１６）。そして、外線インタフェース部（図示せず）を制御し通話を切断する（Ｓ７１７）。
【００５９】
以上のように本発明の第３の実施の形態では、特定の発信者からの着信を拒否するための着信拒否リストを有する電話装置において、着信時に前記着信拒否リストに空きがない場合、特定の優先順位に基づいて着信拒否リストを更新する制御手段（制御部６０１）を備える。この制御手段は、着信拒否リストに登録されたデータにおける注目度合を示す要注意度情報と着信拒否対象の呼が着信した頻度を示す着信頻度情報とにより優先順位を決定することを特徴とする。これにより、要注意度が最も低く、且つ着信頻度が最も低い影響度が一番低いデータを削除し、新たに着信拒否データを登録することができるという効果を有する。
【００６０】
次に、本発明の第４の実施の形態について図８〜１０を用いて説明する。図８は本発明の第４の実施の形態の電話装置（図示せず）における制御部の着信拒否設定に係わる主要部を示すブロック図である。尚、制御部以外の構成は図１（ａ）で示したものと同様なので、図示を省略する。
【００６１】
図８を参照すると、制御部８０１は、機能ボタン押下検出部８０１１と、拒否リスト空き調査部８０１２と、拒否リスト自動更新判定部８０１７と、要注意度及び着信頻度比較部８０１３と、削除データ決定部８０１４とを備える。制御部８０１は、更に、拒否番号登録部８０１５と、通話路制御部８０１６と、削除データ保存制御部８０１８と、削除データ表示制御部８０１９と、データ復帰判定部８０２０と、データ入替判定部８０２１と、データ入替制御部８０２２とを備える。
【００６２】
機能ボタン押下検出部８０１１は着信拒否リストへの登録を指示するためのユーザ操作を検出する。拒否リスト空き調査部８０１２は、機能ボタン押下検出部８０１１の指示に基づき着信拒否リストに空きがあるか否かを確認する。拒否リスト自動更新判定部８０１７は、拒否リスト空き調査部８０１２の調査結果で空きがなかった場合に記憶部（図示せず）から拒否リストの自動更新可否データを読み出し判定する。この自動更新可否データは着信拒否リストの自動更新の可否を判定するために用いられるデータである。このデータは第１の実施の形態で説明した着信拒否リストとは別の記憶エリアに予め登録しておく。自動更新が否と判定された場合、要注意度及び着信頻度比較部８０１３は、拒否リスト空き調査部８０１２の確認結果で空きがなかった場合に着信拒否リストに登録されたデータにおける注目度合を示す要注意度情報を読み出す。更に要注意度及び着信頻度比較部８０１３は、この要注意度の低い順に並べ替えそれぞれの着信回数情報及び登録時刻情報を読み出して着信頻度を算出し要注意度が最も低く且つ着信頻度が最も低いデータを削除候補データとして探す。削除データ決定部８０１４は、要注意度及び着信頻度比較部８０１３が探し出した削除候補データを表示しユーザの意志を確認して削除するデータを決定する。拒否番号登録部８０１５は削除データ決定部８０１４で決定した着信拒否すべき電話番号を着信拒否リストに登録する。通話路制御部８０１６は拒否番号登録部８０１５で着信拒否すべき電話番号を登録した後に発信者にメッセージを送出し通話路を切断制御する。
【００６３】
削除データ保存制御部８０１８は、拒否リスト自動更新判定部８０１７で自動更新が可と判定された場合に起動する。削除データ保存制御部８０１８は、要注意度及び着信頻度比較部８０１３により着信拒否リストに登録されたデータにおける優先度の最も低いデータを探し決定した削除データを、記憶部内に一時保存するための制御を行う。削除データ表示制御部８０１９は削除データ保存制御部８０１８により一時保存された削除データを読み出し利用者確認のために表示する。データ復帰判定部８０２０は削除データ表示制御部８０１９により表示されたデータを復帰候補データとして利用者指示に基づき復帰させるか否かを判定する。データ入替判定部８０２１は、データ復帰判定部８０２０がデータ復帰すると判定した場合着信拒否リストにおける当該データの入替選択を行う。データ入替制御部８０２２は、データ入替判定部８０２１の決定に基づき該当データを削除すると共に復帰候補データを着信拒否リストに追加する。
【００６４】
尚、第４の実施の形態では、優先度の低いデータを探すのに、要注意度及び着信頻度比較部８０１３を用いたが、上述した第１または第２の実施例における要注意度及び着信時刻比較部１０１３または要注意度及び着信回数比較部４０１３を用いる構成としても良い。
【００６５】
図９、図１０は、第４の実施の形態の電話装置における着信拒否設定方法を示すフローチャートである。
【００６６】
利用者が該当電話番号を着信拒否リストに登録しようとした際、着信リストに空きがある場合は（Ｓ９０１）、前述した第１の実施の形態で説明した動作となる。着信拒否リストに空きがない場合には（Ｓ９０１）、要注意度及び着信頻度比較部８０１３は、記憶部（図示せず）内の着信拒否リストのデータについて最も優先度の低いデータを探し出す（Ｓ９０３）。優先度データ検索方法については前述した第１〜第３の実施の形態で説明した通りである。制御部８０１の拒否リスト自動更新判定部８０１７は、記憶部内の着信拒否リスト自動更新可否指定データを読み出す。自動更新不可の場合は（Ｓ９０２）、前述した、例えば第３の実施の形態で説明した動作となる。自動更新可の場合には（Ｓ９０２）、該当データを着信拒否リストから削除し（Ｓ９０４）、該当呼の発信者番号を着信拒否リストに登録する（Ｓ９０６）。このとき、要注意度は標準で登録するものとする（Ｓ９０７）。更に制御部８０１は時計（図示せず）を読み出し、これを着信拒否リストに登録時刻として登録すると共に着信拒否リストの最新着信時刻にも登録する（Ｓ９０８）。着信拒否リストへの登録が完了すると、通話路制御部８０１６は、記憶部から切断メッセージ読み出し、通話路スイッチ（図示せず）を介してこれを発信者に送出する（Ｓ９０９）。そして、外線インタフェース部（図示せず）を制御し通話を切断する（Ｓ９１０）。
【００６７】
前述した動作で削除した着信拒否データは、記憶部内の一時保存エリア（図示せず）に保存される（Ｓ９０５）。制御部８０１は、通話が終了した時点で、着信拒否リストの自動更新を行った旨の表示を表示部（図示せず）に行う（Ｓ１０１１）。削除した着信拒否データは、利用者が機能ボタン（図示せず）の押下により確認することができる。利用者が削除した着信拒否リストデータを確認するための機能ボタンを押下すると（Ｓ１０１２）、押下情報は機能ボタン押下検出部８０１１に送られる。削除データ表示制御部８０１９は、これを検出すると、該当データを記憶部から読み出し、これを表示部に表示する（Ｓ１０１３）。更に、該当データを復帰するか、確認を終了するか、要注意度を入力するかを選択できる表示を行う。利用者が要注意度を入力するために該当するキーパッド（図示せず）を押下する（Ｓ１０１５）。これにより、削除データ表示制御部８０１９は表示部に要注意度入力の表示を行い、利用者にその入力を促す。利用者はキーパッドから要注意度を入力し、データ復帰判定部８０２０はこれを着信拒否データとともに保存する（Ｓ１０１７）。利用者がデータ確認終了に該当するキーパッドを押下すると（Ｓ１０１６）、削除データ表示制御部８０１９は表示をクリアし、処理を終了する。
【００６８】
一方、利用者がデータ復帰に該当するキーパッドを押下すると（Ｓ１０１４）、制御部８０１のデータ復帰判定部８０２０は、復帰候補データの代わりに削除するデータの選択処理を行う。選択方法としては、最も新しいデータを削除するか、または候補を選出しなおすかを選べるものとする。利用者が、最も新しいデータを削除する、つまり今回新たに保存したデータの削除を選択した場合（Ｓ１０１９）、データ復帰判定部８０２０は、前述した着信拒否リスト自動更新において着信拒否リストに追加したデータを削除するとともに復帰候補データを着信拒否リストに追加する（Ｓ１０１８）。利用者が候補を選択し直すことを選択した場合（Ｓ１０２０）、データ入替判定部８０２１は、着信拒否リストから優先度が次に低いデータを探し出し、これを表示部に表示する（Ｓ１０２１）。表示画面では、着信拒否リストから削除するか、次候補を表示するかを選択できる。利用者は該当候補を削除可能と判断する場合、該当するダイヤルキーパッドを押下する。データ入替制御部８０２２はこれを受け、該当データを削除するとともに復帰候補データを着信拒否リストに追加する（Ｓ１０１８）。データ入替制御部８０２２は、利用者が着信拒否リストから削除するデータを決定するまで、次候補の表示を継続する（Ｓ１０２２）。いずれの場合においても、新たに削除した着信拒否データは、記憶部内の一次保存エリアに保持される。
【００６９】
以上のように本発明の第４の実施の形態では、特定の発信者からの着信を拒否するための着信拒否リストを有する電話装置において、着信時に着信拒否リストに空きがない場合、特定の優先順位に基づいて着信拒否リストを更新する制御手段（制御部８０１）を備える。この制御手段は、着信拒否リストに登録されたデータにおける注目度合を示す要注意度情報と、着信拒否対象の呼が着信した最新の時間を示す最新着信時刻情報，着信拒否対象の呼が着信した回数を示す着信回数情報，着信拒否対象の呼が着信した頻度を示す着信頻度情報のいずれかとにより優先順位を決定し、着信時に、削除した着信拒否リストのデータをユーザの指示により復帰させ他のデータと入替を行うことを特徴とする。これにより、上述した第１〜第３の実施の形態に比べ、更に利用者の意思を反映して影響度が低いデータを削除し、新たに着信拒否データを登録することができるという効果を有する。
【図面の簡単な説明】
【００７０】
【図１】（ａ）は本発明の第１の実施の形態の電話装置におけるブロック図である。（ｂ）は（ａ）における制御部の着信拒否設定に係わる主要部を示すブロック図である。
【図２】第１の実施の形態の電話装置における着信拒否設定方法を示すフローチャートである。
【図３】着信拒否リストの一例を示す図である。
【図４】本発明の第２の実施の形態の電話装置における制御部の着信拒否設定に係わる主要部を示すブロック図である。
【図５】第２の実施の形態の電話装置における着信拒否設定方法を示すフローチャートである。
【図６】本発明の第３の実施の形態の電話装置における制御部の着信拒否設定に係わる主要部を示すブロック図である。
【図７】第３の実施の形態の電話装置における着信拒否設定方法を示すフローチャートである。
【図８】本発明の第４の実施の形態の電話装置における制御部の着信拒否設定に係わる主要部を示すブロック図である。
【図９】第４の実施の形態の電話装置における着信拒否設定方法を示すフローチャートである。
【図１０】第４の実施の形態の電話装置における着信拒否設定方法を示すフローチャートである。
【符号の説明】
【００７１】
１００    電話装置
１０１，４０１，６０１，８０１    制御部
１０２    外線インタフェース部
１０３    モデム信号受信部
１０４    通話路スイッチ
１０５    記憶部
１０６    ハンドセット
１０７    フックスイッチ
１０８    ダイヤルキーパッド
１０９    機能ボタン
１１０    表示部
１１１    時計
１０１１，４０１１，６０１１，８０１１    機能ボタン押下検出部
１０１２，４０１２，６０１２，８０１２    拒否リスト空き調査部
１０１３    要注意度及び着信時刻比較部
１０１４，４０１４，６０１４，８０１４    削除データ決定部
１０１５，４０１５，６０１５，８０１５    拒否番号登録部
１０１６，４０１６，６０１６，８０１６    通話路制御部
４０１３    要注意度及び着信回数比較部
６０１３，８０１３    要注意度及び着信頻度比較部
８０１７    拒否リスト自動更新判定部
８０１８    削除データ保存制御部
８０１９    削除データ表示制御部
８０２０    データ復帰判定部
８０２１    データ入替判定部
８０２２    データ入替制御部
【図１】
2007088852.tif 000003
【図２】
2007088852.tif 000004
【図３】
2007088852.tif 000005
【図４】
2007088852.tif 000006
【図５】
2007088852.tif 000007
【図６】
2007088852.tif 000008
【図７】
2007088852.tif 000009
【図８】
2007088852.tif 000010
【図９】
2007088852.tif 000011
【図１０】
2007088852.tif 000012